(57)【要約】      （修正有）【課題】使用者の好みに応じた結婚披露宴用招待状を一段と容易に作成する。【解決手段】結婚披露宴に関する情報を提示するための結婚披露宴用招待状２に、当該結婚披露宴用招待状２に貼着可能な大きさでなり、絵柄が予め記載された複数種類の絵柄シール25〜30を添付させたことにより、結婚披露宴用招待状２に使用者が任意に選んだ絵柄シール25〜30を貼着させてゆくだけで、結婚披露宴用招待状２のデザインを変更させることができ、かくして使用者の好みに応じた結婚披露宴用招待状２を一段と容易に作成し得る。【選択図】図１
0003107985.tif 000002
【実用新案登録請求の範囲】
【請求項１】
結婚披露宴に関する情報を提示するための結婚披露宴用印刷物と、該結婚披露宴用印刷物に貼着可能な大きさでなり、絵柄が予め記載された複数種類の絵柄シールとを備えたことを特徴とする結婚披露宴用印刷物作成セット。
【請求項２】
前記結婚披露宴用印刷物には、絵柄が記載されているとともに、前記絵柄シールを貼着するための領域が所定位置に設けられおり、前記複数種類の絵柄シールは、それぞれ前記領域に貼着可能な大きさに形成されていることを特徴とする請求項１記載の結婚披露宴用印刷部作成セット。
【請求項３】
封筒本体及び折返片を有し、前記封筒本体内に前記結婚披露宴用印刷物が封入される封筒を備えたことを特徴とする請求項１又は２記載の結婚披露宴用印刷物作成セット。
【請求項４】
前記複数種類の絵柄シールは、異なった絵柄を備え、１枚の剥離体に剥離可能に貼着されていることを特徴とする請求項１乃至３のうちいずれか１項記載の結婚披露宴用印刷物作成セット。
【請求項５】
前記複数種類の絵柄シールには、線によって囲まれた記入領域を有し、かつその線の一部にほぼV字状の形状を備えた吹き出し形絵柄シールが含まれていることを特徴とする請求項１乃至４のうちいずれか１項記載の結婚披露宴用印刷物作成セット。
【請求項６】
前記結婚披露宴用印刷物を複数枚備えたことを特徴とする請求項項１乃至５のうちいずれか１項記載の結婚披露宴用印刷物作成セット。
【考案の詳細な説明】
【技術分野】
【０００１】
この考案は、結婚披露宴用印刷物作成セットに関し、例えば、結婚式や披露宴（以下、これらをまとめて結婚披露宴と呼ぶ）が行われることを招待予定者に対して通知するための結婚披露宴用招待状を作成する結婚披露宴用招待状作成作成セットに適用して好適なものである。
【背景技術】
【０００２】
近年、結婚披露宴用招待状と、当該結婚披露宴用招待状を封入して招待予定者に郵送するための封筒と、当該封筒を封止するための封止用シールとがそれぞれ同一枚数づつ添付され、使用者が招待予定者の氏名や住所などを記載するだけで結婚披露宴用招待状を容易に作成し得る結婚披露宴用招待状作成セットが知られている(例えば特許文献１)。
【特許文献１】実開平６−５５７６５号公報
【考案の開示】
【考案が解決しようとする課題】
【０００３】
ところが、このような結婚披露宴用招待状作成セットは、予め結婚披露宴をイメージさせるような絵柄がデザインされていることから、使用者が招待予定者の人柄などに応じて結婚披露宴用招待状のデザイン自体を変更することは困難であった。また、招待予定者にお祝いの気持ちを起こさせるためにも、招待予定者の人柄などに応じて結婚披露宴用招待状のデザインを個別に変更できることが望ましい。
【０００４】
そこで、本考案は以上の点を考慮してなされたもので、使用者の好みに応じた結婚披露宴用印刷物を一段と容易に作成し得る結婚披露宴用印刷物セットを提案しようとするものである。
【課題を解決するための手段】
【０００５】
本考案の請求項１では、結婚披露宴に関する情報を提示するための結婚披露宴用印刷物と、該結婚披露宴用印刷物に貼着可能な大きさでなり、絵柄が予め記載された複数種類の絵柄シールとを備えるようにした。
【０００６】
本考案の請求項２では、前記結婚披露宴用印刷物には、絵柄が記載されているとともに、前記絵柄シールを貼着するための領域が所定位置に設けられおり、前記複数種類の絵柄シールは、それぞれ前記領域に貼着可能な大きさに形成されているようにした。
【０００７】
本考案の請求項３では、封筒本体及び折返片を有し、前記封筒本体内に前記結婚披露宴用印刷物が封入される封筒を備えるようにした。
【０００８】
本考案の請求項４では、  前記複数種類の絵柄シールは、異なった絵柄を備え、１枚の剥離体に剥離可能に貼着されているようにした。
【０００９】
本考案の請求項５によれば、前記複数種類の絵柄シールには、線によって囲まれた記入領域を有し、かつその線の一部にほぼV字状の形状を備えた吹き出し形絵柄シールが含まれているようにした。
【００１０】
本考案の請求項６によれば、前記結婚披露宴用印刷物を複数枚備えるようにした。
【考案の効果】
【００１１】
本考案の請求項１によれば、結婚披露宴用印刷物に使用者が任意に選んだ絵柄シールを貼着させてゆくだけで、結婚披露宴用印刷物のデザインを変更させることができ、かくして使用者の好みに応じた結婚披露宴用印刷物を一段と容易に作成し得る。
【００１２】
本考案の請求項２によれば、所定位置に予め設けられた領域に絵柄シールを任意に貼着させてゆくだけで、結婚披露宴用印刷物において絵柄シールをデザイン上最適な位置に配置させることができる。
【００１３】
本考案の請求項３によれば、結婚披露宴用印刷物に絵柄シールを貼着させてゆくことにより、異なったデザインの結婚披露宴用印刷物を作成できるとともに、他の絵柄シールを封止用として封筒に貼着することにより、異なったデザインの封筒を作成できる。
【００１４】
本考案の請求項４によれば、複数種類の絵柄シールを１枚の剥離体に貼着させたことにより、使用者に対し複数種類の絵柄シール全てを瞬時に目視させることができ、かくして使用者に対し好みの絵柄を容易に選択させることができる。
【００１５】
本考案の請求項５によれば、結婚披露宴用印刷物に任意のコメント文を記載したい場合に、あたかも話し手の口からコメントが発せされたかのように所定の絵柄に合わせて吹き出し形絵柄シールを貼着させることができ、かくして招待予定者や招待者に合わせて結婚披露宴用印刷物のデザインを容易に変更させることができる。またコメント文を目視した招待予定者や招待者に対して面白さを与えることができる。
【００１６】
本考案の請求項６によれば、招待予定者や招待者に応じて任意に選択した絵柄シールを結婚披露宴用印刷物に貼着させてゆくことにより、招待予定者や招待者毎に個別にデザインが異なる結婚披露宴用印刷物を複数枚同時に作成し得る。また、所定の結婚披露宴用印刷物に用いられなかった絵柄シールについては、他の結婚披露宴用印刷物に用いることができ、不用な絵柄シールが発生することを防止できる。
【考案を実施するための最良の形態】
【００１７】
以下、本考案における好ましい実施例について、添付図面を参照しながら説明する。
【００１８】
図１において、１は全体として結婚披露宴用招待状作成セットを示し、当該結婚披露宴用招待状作成セット１は、偏平状に二つ折り可能の形成された結婚披露宴用招待状２と、二つ折り状態の結婚披露宴用招待状２を収納し得る封筒３と、当該結婚披露宴用招待状２及び封筒３のデザインを変更するための複数枚（この場合、例えば１０枚）の絵柄シール（後述する）25〜30をそれぞれ個別に剥離可能に備えた１枚のシールシート４とによって構成されている。
【００１９】
封筒３は、封筒本体５と折返片６とが折り目（以下、これを封筒側折り目という）７を介して連設された構成を有し、当該封筒本体５に二つ折り状態の結婚披露宴用招待状２を収納した状態で折返片６を封筒本体５（図中の矢印Ａ方向）に折り返し得、任意に選択した絵柄シール25〜30を折返片６と封筒本体５とに貼着し得るようになされている。
【００２０】
結婚披露宴用招待状２は、図２（Ａ）及び（Ｂ）に示すように、中央部の縦方向に形成された折り目10を介して二つ折り可能な台紙11を有する。
【００２１】
台紙11は、やや厚めで適度の剛性を有した紙製で全体としてほぼ四角形状に構成されており、同一形状の第１及び第２の台紙片12及び13が折り目10を介して対称に有し、縦寸法が封筒３の長手方向とほぼ同一寸法に形成されているとともに、当該第１の台紙片12と第２の台紙片13とを折り目10を介して開くと、横寸法が封筒３の短手方向よりも大きくなるように形成されている。
【００２２】
かかる構成に加えて、第１の台紙片12には、図２（Ａ）に示したように、外面に結婚披露宴が行われることを通知するための絵柄たる文字Ｅが記載されているとともに、任意の選択した絵柄シール25〜30が貼着されるため文字，記号，模様などの絵柄が予め記載されていない無地の領域（以下、これを第１の無地領域と呼ぶ）AR1が設けられている。
【００２３】
また、第１の台紙片12には、図２（Ｂ）に示したように、その内面にも任意の選択した絵柄シール25〜30が貼着されるため文字や模様などの絵柄が予め記載されていない無地の領域（以下、これを第２の無地領域と呼ぶ）AR2が設けられている。
【００２４】
一方、第２の台紙片13には、その内面に収納部14を有し、当該収納部14に任意の選択した絵柄シール25〜30が貼着されるため文字や模様などの絵柄が予め記載されていない無地の領域（以下、これを第３の無地領域と呼ぶ）AR3が設けられているとともに、当該収納部14を有しない内面にも任意の選択した絵柄シール25〜30が貼着されるため文字や模様などの絵柄が予め記載されていない無地の領域（以下、これを第４の無地領域と呼ぶ）AR4が設けられている。
【００２５】
因みに、第２の台紙片16に設けられた収納部14には、例えば、図３に示すように、やや厚めで適度の剛性を有した紙製でなる招待状本体20と、返信用はがき21とが重ね合わせた状態で収納され得るようになされている。
【００２６】
なお、この実施の形態の場合、招待状本体20は、結婚披露宴の招待状であることを示す結婚披露宴の表示、季節の挨拶文や結婚披露宴を行う旨、結婚披露宴が行われる日時及び場所、新郎新婦に関する情報などが記載され、結婚披露宴情報に関する各種情報を提示し得るようになされている。
【００２７】
また、この実施の形態の場合、返信用はがき21は、結婚披露宴の出席又は欠席する旨を示す欄や、招待予定者自身の住所などを記載する欄が設けられている。
【００２８】
かかる構成に加えて、シールシート４は、図１に示したように、二つ折り状態の結婚披露宴用招待状２とほぼ同一形状でなり、基体の一面に剥離層を有する剥離体23と、この剥離体23の剥離層に剥離可能に貼着され、第１〜第４の無地領域AR1〜AR4に貼着可能な大きさにそれぞれ形成された複数枚の絵柄シール25〜30とで構成されている。
【００２９】
ここで絵柄シール25〜30は、それぞれ一面に粘着層を有し、この粘着層が剥離体の剥離層に間隔を空けて貼着されており、他面にそれぞれ互いに異なる絵柄でなる印刷層を有する。
【００３０】
実際上、この実施の形態の場合には、例えば、絵柄シール25〜30として、動物や物（この場合、鳥やリボン、花の絵柄）を表した絵柄シール25や文字を表した絵柄シール26、文字を表した絵柄とブーケの絵柄とを表した絵柄シール27、新婦や招待者などの人物を表した絵柄シール28及び29、所定の形状（この場合、四角形状）でなる絵柄シール30で構成されている。
【００３１】
以上の構成において、招待予定者に合わせて結婚披露宴用招待状２を作成する際、シールシート４に貼着されている複数種類の絵柄シール25〜30のうちから任意に選択した、例えば絵柄シール25を剥離体23から剥離し、図２（Ａ）に示した第１の台紙片12の第１の無地領域AR1に当該絵柄シール25を貼着させることにより、図２（Ａ）との対応部分に同一符号を付して示す図４（Ａ）のように、第１の台紙片12の外面にリボンの絵柄を付加でき、かくして第１の台紙片12における外面のデザインを変更できる。
【００３２】
また、結婚披露宴用招待状２では、結婚披露宴用招待状２を開いた状態において、シールシート４に貼着されている残りの絵柄シール26〜30のうちから任意に選択した絵柄シール25〜30を、剥離体23からそれぞれ剥離し、第１の台紙片12に設けられた第２の無地領域AR2（図２（Ｂ））と、収納部14に設けられた第３の無地領域AR3と、第２の台紙片13に設けられた第４の無地領域AR4とに、当該絵柄シール25〜30をそれぞれ貼着させることにより、図２（Ｂ）との対応部分に同一符号を付して示す図４（Ｂ）のように、台紙11の内面11Aに新婦や招待者、さらに鳥やブーケの絵柄を付加でき、かくして台紙11における内面11Aのデザインを変更できる。
【００３３】
このようにして結婚披露宴用招待状２に使用者がシールシート４から任意に選択した絵柄シール25〜30を貼着させてゆくだけで、結婚披露宴用招待状２全体のデザインを所望のデザインに変更させることができる。
【００３４】
ここで、この実施の形態の場合、例えば、結婚披露宴におけるブーケをイメージさせる絵柄の絵柄シール27と、新婦がブーケを投げるような動作をイメージさせる絵柄の絵柄シール28とをシールシート４に貼着された複数種類の絵柄シール25〜30のうちから選択し、第１の台紙片12に設けられた第２の無地領域AR2に貼着させることにより、展開時に、台紙11の内面11Aにおいて、あたかも新婦がブーケを投げたかのような動作を表したイメージ絵柄を構成できる。
【００３５】
このようにして、複数種類の絵柄シール25〜30のうちから任意に絵柄シール25〜30を選択して自由に貼着してゆくことにより、結婚披露宴をイメージさせるような所望のデザインを容易に作成でき、かくして結婚披露宴の招待予定者に対し結婚披露宴に伴う幸福感に溢れたイメージを一段と確実に与えることができる。
【００３６】
また、シールシート４の絵柄シール25〜30のうち、結婚披露宴用招待状２に貼着しなかった、例えば絵柄シール30については、図５に示すように、封筒３の封止用として封筒本体５に折り返した折返片６に貼着させることができるので、封筒３に用いる封止用シールのデザインを任意に変更できる。
【００３７】
以上のように、本実施例では、結婚披露宴に関する情報を提示するための結婚披露宴用招待状２に、当該結婚披露宴用招待状２に貼着可能な大きさでなり、絵柄が予め記載された複数種類の絵柄シール25〜30を添付させたことにより、結婚披露宴用招待状２に使用者が任意に選んだ絵柄シール25〜30を貼着させてゆくだけで、結婚披露宴用招待状２のデザインを変更させることができ、かくして使用者の好みに応じた結婚披露宴用招待状２を一段と容易に作成し得る。尚、請求項１においては、結婚披露宴用招待状２は、絵柄のないものや全体が無地のものを用いることができる。
【００３８】
また、本実施例では、予め絵柄シール25〜30を貼着するための第１〜第４の無地領域AR1〜AR4が結婚披露宴用招待状２のデザイン上最適な所定位置に設けられているので、当該第１〜第４の無地領域AR1〜AR4に任意に選択した絵柄シール25〜30を貼着させてゆくだけで、結婚披露宴用招待状２において絵柄シール25〜30をデザイン上最適な位置に配置させることができる。
【００３９】
さらに、本実施例では、結婚披露宴用招待状作成セット１に封筒３を備えていることにより、結婚披露宴用招待状２に絵柄シール25〜30を貼着させてゆき、異なったデザインの結婚披露宴用招待状２を作成できるとともに、結婚披露宴用招待状２に貼着しなかった他の絵柄シール25〜30を封止用として封筒３に貼着することもでき、かくして異なったデザインの封筒３をも作成できる。
【００４０】
さらに、本実施例では、複数種類の絵柄シール25〜30を、それぞれ結婚披露宴をイメージさせる異なった絵柄とし、１枚の剥離体23に剥離可能に貼着させるようにしたことにより、使用者に対し全ての絵柄シール25〜30を瞬時に目視させることができ、かくして使用者に対し好みの絵柄を容易に選択させることができる。
【００４１】
なお、上述した実施の形態においては、複数種類の絵柄シールとして、図1のような動物や物（この場合、鳥やリボン、花の絵柄）を表した絵柄シール25や文字を表した絵柄シール26、文字と絵柄（この場合、ブーケの絵柄）とを表した絵柄シール27、新婦や招待者などの人物を表した絵柄シール28及び29、所定の形状（この場合、四角形状）でなる絵柄シール30が貼着されたシールシート４を適用するようにした場合について述べたが、本考案はこれに限らず、結婚披露宴を連想させるような絵柄の他この他種々の絵柄を適用しても良く、また、図１におけるシールシート４との対応部分に同一符号を付して示す図６のように、線によって囲まれた記入領域40を有し、かつその線の一部にほぼV字状の形状を備えた吹き出し形絵柄シール41を貼着したシールシート42を適用するようにしても良い。
【００４２】
これにより、結婚披露宴用印刷物２に任意のコメント文を記載したい場合、例えば、人物を表した絵柄シール28に並べて吹き出し形絵柄シール41を貼着し、この吹き出し形絵柄シール41の記入領域40に使用者がコメント文を記入することにより、あたかも話し手の口からコメントが発せされたかのように吹き出し形絵柄シール41を貼着させることができ、かくして招待予定者や招待者に合わせて結婚披露宴用招待状２のデザインを容易に変更させることができる。またコメント文を目視した招待予定者や招待者に対して面白さを与えることができる。
【００４３】
また、上述した実施の形態においては、結婚披露宴用招待状２と封筒３とをそれぞれ１枚づつ備えた結婚披露宴用招待状作成セット１を適用するようにした場合について述べたが、本考案はこれに限らず、図１との対応部分に同一符号を付して示す図７のように、例えば、結婚披露宴用招待状２と封筒３とをそれぞれ３枚づつ備えた結婚披露宴用招待状作成セット50や、この他４枚や５枚など種々の枚数でなる結婚披露宴用招待状セットを適用するようにしても良い。また、シールシート４を複数枚備えるようにしても良い。
【００４４】
この場合、招待予定者や招待者に応じて任意の絵柄シール25〜30を結婚披露宴用招待状２に貼着させてゆくことにより、招待予定者や招待者毎に個別にデザインが異なる複数の結婚披露宴用招待状２を作成し得る。また、所定の結婚披露宴用招待状２に用いられなかった絵柄シール25〜30については、他の結婚披露宴用招待状２に用いることができ、不用な絵柄シール25〜30が発生することを防止できる。
【００４５】
さらに、上述した実施の形態においては、複数種類の絵柄シール25〜30を互いに異なる絵柄で構成するようにした場合について述べたが、本考案はこれに限らず、複数種類の絵柄シールをそれぞれの絵柄毎に所定枚数づつで構成するようにしても良い。また、絵柄は、文字や記号を含む。
【００４６】
さらに、上述した実施の形態においては、結婚披露宴用印刷物に予め記載された所定の絵柄として、結婚披露宴が行われることを通知するための絵柄たる文字Ｅを適用するようにした場合について述べたが、本考案はこれに限らず、結婚披露宴を連想させるような絵柄の他、単なる花や動物などこの他種々の絵柄を適用するようにしても良い。
【００４７】
さらに、上述した実施の形態においては、絵柄シールを貼着するための領域として、文字や模様などの絵柄が記載されていない第１〜第４の無地領域AR1〜AR4を適用するようにした場合について述べたが、本考案はこれに限らず、絵柄シール25〜30が貼着できれば、当該絵柄シール25〜30を貼着するための目印、或いは文字など絵柄が予め記載された領域を適用するようにしても良い。
【００４８】
さらに、上述した実施の形態においては、結婚披露宴に関する情報を提示するための結婚披露宴用印刷物として、結婚披露宴を開くことをイメージさせる絵柄が記載された結婚披露宴用招待状２を適用するようにした場合について述べたが、本考案はこれに限らず、例えば、結婚披露宴で使用する席次表が記載された結婚披露宴用席次表や、披露宴で提供される会食用のメニューが記載された結婚披露宴用メニューなどこの他種々の結婚披露宴に関する絵柄が記載された結婚披露宴用印刷物に適用するようにしても良い。
【図面の簡単な説明】
【００４９】
【図１】結婚披露宴用招待状作成セットの全体構成を示す略線図である。
【図２】二つ折り状態及び展開状態のときの結婚披露宴用招待状の構成を示す略線図である。
【図３】結婚披露宴用招待状の収納部に招待状本体と返信用はがきとが収納される様子を示す略線図である。
【図４】任意に選択された絵柄シールが結婚披露宴用招待状に貼着された様子を示す略線図である。
【図５】任意に選択された絵柄シールが封筒の封止用として貼着された様子を示す略線図である。
【図６】他の実施の形態によるシールシートの構成を示す略線図である。
【図７】他の実施の形態による結婚披露宴用招待状作成セットの全体構成を示す略線図である。
【符号の説明】
【００５０】
１  結婚披露宴用招待状作成セット（結婚披露宴用印刷物セット）
２  結婚披露宴用招待状（結婚披露宴用印刷物）
３  封筒
25〜30、41  絵柄シール
AR1〜AR4  第１〜第４の無地領域
【図１】
0003107985.tif 000003
【図２】
0003107985.tif 000004
【図３】
0003107985.tif 000005
【図４】
0003107985.tif 000006
【図５】
0003107985.tif 000007
【図６】
0003107985.tif 000008
【図７】
0003107985.tif 000009